(57)【特許請求の範囲】
【請求項１】
来訪者が居住者を呼出して通話を成立させるための音声信号を送受信する集合玄関機（１）と、前記集合玄関機からの呼出しに応答した前記居住者が前記来訪者との間で通話を成立させるための前記音声信号を送受信する居室親機（３、３、・・・）と、前記集合玄関機及び前記居室親機を制御するための制御機（２）とが遠隔地のような異なる場所の個別の集合住宅毎に設けられ、任意の居室親機間、任意の制御機間がそれぞれ所定のグループ情報に割り当てられて管理サーバ（５）により制御される集合住宅インターホンシステムであって、
前記居室親機、前記制御機、前記管理サーバはそれぞれ、汎用ネットワーク（６）を経由して接続され、
前記居室親機は、自親機に割り当てられるＩＰアドレス情報を前記汎用ネットワークを経由して前記管理サーバに通知するための親機情報通知部（３１）を備え、
前記制御機は、自制御機に割り当てられるＩＰアドレス情報を前記汎用ネットワークを経由して前記管理サーバに通知するためのシステム情報通知部（２１）を備え、
前記管理サーバは、前記グループ情報が予め記憶された管理テーブル（５１）と、前記居室親機の前記親機情報通知部、前記制御機の前記システム情報通知部よりそれぞれ通知されたＩＰアドレス情報を前記グループ情報に割り当てて前記管理テーブルに格納するための管理サーバＣＰＵ（５３）と、前記管理テーブルに前記グループ情報に割り当てられて格納されたＩＰアドレス情報を前記グループ情報に該当する居室親機、制御機に対して前記汎用ネットワークを経由して通知するためのグループ情報通知部（５２）を備えることを特徴とする集合住宅インターホンシステム。
【請求項２】
前記居室親機は、前記集合玄関機からの呼出履歴による呼出履歴情報や防犯設定における設定情報等の親機情報を管理するための親機ＣＰＵ（３３）と、前記親機ＣＰＵにて管理される前記親機情報を前記汎用ネットワークを経由して自親機が属する同一グループ内の他親機に通知するための親機情報通知部（３１）と、前記自親機が属する同一グループ内の他親機からの親機情報を受信して前記親機ＣＰＵに送出するための他親機情報受信部（３２）とを備えることを特徴とする請求項１記載の集合住宅インターホンシステム。
【請求項３】
前記居室親機は、前記音声信号を信号処理するためのＩＰ変換アダプタ（４）が接続されるアダプタ接続部（３４）と、前記アダプタ接続部に接続された前記ＩＰ変換アダプタを経由して前記集合玄関機からの呼出しを検出し、前記汎用ネットワークを経由して自親機が属する同一グループ内の他居室親機に転送通知するための呼出転送通知部（３５）とを備え、前記呼出転送を検出した他居室親機の前記アダプタ接続部に接続された前記ＩＰ変換アダプタと前記集合玄関機からの呼出しを検出した居室親機の前記アダプタ接続部に接続された前記ＩＰ変換アダプタとの間で前記音声信号を送受信することを特徴とする請求項１又は請求項２記載の集合住宅インターホンシステム。
【請求項４】
前記制御機は、前記集合住宅にて発生した火災警報等のセキュリティ情報を管理するための制御機ＣＰＵ（２３）と、前記制御機ＣＰＵにて管理されるセキュリティ情報を前記汎用ネットワークを経由して自制御機が属する同一グループ内の他制御機に通知するためのシステム情報通知部（２１）と、前記制御機が属する同一グループ内の他制御機から前記汎用ネットワークを経由して伝送されてくるセキュリティ情報を受信して前記制御機ＣＰＵに送出するための他システム情報受信部（２２）を備えることを特徴とする請求項１乃至請求項３のうち何れか１項記載の集合住宅インターホンシステム。
【発明の詳細な説明】
【技術分野】
【０００１】
本発明は集合住宅インターホンシステムに係り、特に、個別に運用されている複数の集合住宅の各インターホンシステム間で連携・連動できる機能を備えた集合住宅インターホンシステムに関する。
【背景技術】
【０００２】
従来の集合住宅インターホンシステムは、各集合住宅内で独立して運用され、他の物件で運用されている集合住宅インターホンシステムを意識することはなかった。しかし昨今、ネットワークの発達と共にインターネット通信網を利用して当該集合住宅外の施設等と情報の授受を行うことが行われてきている（例えば、特許文献１参照）。
【０００３】
特許文献１に記載されている集合住宅インターホンシステムは、インターホン機能を有すると共に、インターネットを経由して当該集合住宅外からのサービスを受けることができるようになっている。
【０００４】
また、共同玄関子機と住戸親機との映像信号及び音声信号とを外部ネットワークを経由して外部通信端末装置に転送することも行われている（例えば、特許文献２参照）。
【０００５】
このようにインターネットを利用して集合住宅と外部施設や外部端末と信号の授受を行うことはすでに行われている。
【０００６】
一方、最近は組織・グループのあり方が多様化し、遠隔地にある別の集合住宅インターホンシステムと連動しインターネットを経由して利便性の高いサービスを提供するニーズが高まっている。
【先行技術文献】
【特許文献】
【０００７】
【特許文献１】特開２００４−１２８６２４号公報
【特許文献２】特開２００２−１２５０５９号公報
【発明の概要】
【発明が解決しようとする課題】
【０００８】
しかしながら、従来の集合住宅インターホンシステムでは、そのシステム内においてインターホン以外の機能・サービスと連携することやインターホンにおける信号の授受を外部端末と行うことはあっても、インターホンシステム同士が連携し、より利便性の高いサービスを提供できる仕組みが備わっていなかった。
【０００９】
本発明は上記の課題を解決するためになされたもので、インターネットのような汎用ネットワークを経由してそれぞれ異なる集合住宅インターホンシステム同士を連動し、より利便性の高いサービスを提供できるようにしたものである。
【課題を解決するための手段】
【００１０】
本発明による集合住宅インターホンシステムの第１の態様によれば、来訪者が居住者を呼出して通話を成立させるための音声信号を送受信する集合玄関機と、集合玄関機からの呼出しに応答した居住者が来訪者との間で通話を成立させるための音声信号を送受信する居室親機と、集合玄関機及び居室親機を制御するための制御機とが遠隔地のような異なる場所の個別の集合住宅毎に設けられ、任意の居室親機間、任意の制御機間がそれぞれ所定のグループ情報に割り当てられて管理サーバにより制御される集合住宅インターホンシステムであって、居室親機、制御機、管理サーバはそれぞれ、汎用ネットワークを経由して接続され、居室親機は、自親機に割り当てられるＩＰアドレス情報を汎用ネットワークを経由して管理サーバに通知するための親機情報通知部を備え、制御機は、自制御機に割り当てられるＩＰアドレス情報を汎用ネットワークを経由して管理サーバに通知するためのシステム情報通知部を備え、管理サーバは、グループ情報が予め記憶された管理テーブルと、居室親機の親機情報通知部、制御機のシステム情報通知部よりそれぞれ通知されたＩＰアドレス情報をグループ情報に割り当てて管理テーブルに格納するための管理サーバＣＰＵと、管理テーブルにグループ情報に割り当てられて格納されたＩＰアドレス情報をグループ情報に該当する居室親機、制御機に対して汎用ネットワークを経由して通知するためのグループ情報通知部を備えることを特徴とする。
【００１１】
また、本発明による集合住宅インターホンシステムの第２の態様によれば、第１の態様において、居室親機は、集合玄関機からの呼出履歴による呼出履歴情報や防犯設定における設定情報等の親機情報を管理するための親機ＣＰＵと、親機ＣＰＵにて管理される親機情報を汎用ネットワークを経由して自親機が属する同一グループ内の他親機に通知するための親機情報通知部と、自親機が属する同一グループ内の他親機からの親機情報を受信して親機ＣＰＵに送出するための他親機情報受信部とを備えることを特徴とする。
【００１２】
さらに、本発明による集合住宅インターホンシステムの第３の態様によれば、第１または第２の態様において、居室親機は、音声信号を信号処理するためのＩＰ変換アダプタが接続されるアダプタ接続部と、アダプタ接続部に接続されたＩＰ変換アダプタを経由して集合玄関機からの呼出しを検出し、汎用ネットワークを経由して自親機が属する同一グループ内の他居室親機に転送通知するための呼出転送通知部とを備え、呼出転送を検出した他居室親機のアダプタ接続部に接続されたＩＰ変換アダプタと集合玄関機からの呼出しを検出した居室親機のアダプタ接続部に接続されたＩＰ変換アダプタとの間で音声信号を送受信することを特徴とする。
【００１３】
また、本発明による集合住宅インターホンシステムの第４の態様によれば、第１から第３の態様において、制御機は、集合住宅にて発生した火災警報等のセキュリティ情報を管理するための制御機ＣＰＵと、制御機ＣＰＵにて管理されるセキュリティ情報を汎用ネットワークを経由して自制御機が属する同一グループ内の他制御機に通知するためのシステム情報通知部と、制御機が属する同一グループ内の他制御機から汎用ネットワークを経由して伝送されてくるセキュリティ情報を受信して制御機ＣＰＵに送出するための他システム情報受信部を備えることを特徴とする。
【発明の効果】
【００１４】
第１の態様によれば、グループを形成するメンバー（居室親機、制御機）のＩＰアドレスは管理サーバで最新状態が管理できるため、固定である必要がない。また、管理サーバはグループ内メンバーに他メンバーのＩＰアドレスなどの情報を通知し、通知後はメンバー同士でデータ通信をするため、管理サーバに負荷がかかることがない。
【００１５】
また、第２の態様によれば、管理サーバに登録された別々の集合住宅インターホンシステムの居室がグループを形成することにより、そのグループ内の居室親機すべてで各々の呼出履歴・録画・セキュリティ設定・宅配情報等を共有及び操作できる。
【００１６】
さらに、第３の態様によれば、ＳＩＰ変換機能を有するＩＰ変換アダプタと連動することにより、居室親機への呼出しをグループ内の居室親機すべてに転送でき、どの居室親機でも通話が可能になる。
【００１７】
また、第４の態様によれば、グループ設定された集合住宅インターホンシステム同士で火災などの警報を即座に知ることができ、集合住宅内居室への警報通知や集合玄関機の解錠などの避難対応がスムーズに行える。特に近接する集合住宅同士では効果を発揮する。
【図面の簡単な説明】
【００１８】
【図１】本発明の集合住宅インターホンシステムのシステム構成図である。
【図２】本発明の集合住宅インターホンシステムの居室親機、制御機及び管理サーバのブロック図である。
【図３】本発明の集合住宅インターホンシステムにおける管理テーブルの一例を示す図である。
【図４】本発明の集合住宅インターホンシステムにおける動作の一例を示すフロー図である。
【発明を実施するための形態】
【００１９】
以下、本発明による集合住宅インターホンシステムを適用した好ましい形態の実施例について、図面を参照して説明する。
【００２０】
図１は、本発明の集合住宅インターホンシステムのシステム構成図であり、１つの物件で集合玄関機１、制御機２、居室親機３、ＩＰ変換アダプタ４を有しており、このうち制御機２と居室親機３は汎用ネットワーク６を経由して管理サーバ５に接続されている。また集合玄関機１と制御機２が接続されており、制御機２は各居室親機３と接続されている。さらに居室親機３にはＩＰ変換アダプタ４がそれぞれ接続されている。
【００２１】
また図２のブロック図に示すように、居室親機３には、汎用ネットワーク６と接続され、親機情報を汎用ネットワーク６を経由して自親機が属する同一グループ内の他親機に通知するための親機情報通知部３１及び自親機が属する同一グループ内の他親機からの親機情報を受信するための他親機情報受信部３２が備えられており、それぞれ親機ＣＰＵ３３と接続されている。また、音声信号を処理するためのＩＰ変換アダプタ４と接続されているアダプタ接続部３４、集合玄関機１からの呼出しをグループ内の他の居室親機へ汎用ネットワーク６を経由して転送通知するための呼出転送通知部３５が備えられており、それぞれ親機ＣＰＵ３３と接続されている。さらに、制御機２との呼出しや音声の信号の送受信を行う制御機側送受信部３６が備えられ、親機ＣＰＵ３３と接続されている。
【００２２】
制御機２には、汎用ネットワーク６と接続され、制御機ＣＰＵ２３にて管理されるセキュリティ情報を自制御機が属する同一グループ内の他制御機に通知するためのシステム情報通知部２１及び制御機が属する同一グループ内の他制御機から伝送されてくるセキュリティ情報を受信して制御機ＣＰＵ２３に送出するための他システム情報受信部２２が備えられており、それぞれ制御機ＣＰＵ２３と接続されている。また、集合玄関機１との呼出しや音声の信号の送受信を行う集合玄関機側送受信部２４が備えられ、さらに居室親機３との呼出しや音声の信号の送受信を行う親機側送受信部２５が備えられており、それぞれ制御機ＣＰＵ２３と接続されている。
【００２３】
また管理サーバ５には、グループ情報が予め記憶されている管理テーブル５１、汎用ネットワーク６に接続され、グループ情報に割り当てられて管理テーブルに格納されたＩＰアドレス情報をグループ情報に該当する居室親機、制御機に対して汎用ネットワーク６を経由して通知するためのグループ情報通知部５２、そして居室親機３、制御機２からの信号を送受信する管理サーバ送受信部５４が備えられている。管理テーブル５１、グループ情報通知部５２、管理サーバ送受信部５４はそれぞれ管理サーバＣＰＵ５３に接続されている。
【００２４】
ここで管理テーブル５１は、図３に示すようにグループ別に所属者とそのＩＰアドレスが保存されている。例えば、Ａ家族は物件１の３０３号室と物件２の４０４号室を所有し、この２室をグループ化している。同様にＢ社は物件１の５０５号室、物件２の６０６号室、物件３の２０２号室をグループ化している。さらにＣ管理グループは物件１、物件２、物件３の各制御機をそれぞれグループ化している。そして、各グループのそれぞれの物件には物件毎にＩＰアドレスが割り当てられている。
【００２５】
このような構成の集合住宅インターホンシステムにおいて、以下に動作を説明する。なお、集合住宅インターホンシステムの通常の動作である来訪者からの呼出しや居住者の応答に伴う信号の授受、解錠等の動作については説明を省略する。
【００２６】
図４は本発明の集合住宅インターホンシステムにおける動作の一例を示すフロー図である。図４及び上記した図１、図２に示す通り、例えば物件１の制御機２はＩＰアドレス変更時にシステム情報通知部２１から汎用ネットワーク６を経由して管理サーバ５へ、所属したいグループ、物件名と部屋番号、変更したＩＰアドレス等を通知する。管理サーバ５では通知された情報を管理テーブル５１に格納する。
【００２７】
一方、管理サーバ５のグループ情報通知部５２は管理テーブル５１の変更のあったグループを管理サーバＣＰＵ５３を介して検知し、そのグループに所属する物件１及び物件２の制御機２へ情報を通知する。物件１及び物件２の制御機２は、通知されたその情報を他システム情報受信部２２から受信し、グループに所属する機器のＩＰアドレスの変更を把握する。これにより物件２は管理サーバを経由することなく同一グループに所属する物件１の制御機のデータ（グループ情報）を受け取ることができる。従って、管理サーバの負荷は軽くなり、グループ構成やＩＰアドレスが変わってもその変更が即座に同一グループ内に反映できる。
【００２８】
以上においては制御機について説明したが、居室親機の場合には、上記動作についてシステム情報通知部２１及び他システム情報受信部２２がそれぞれ親機情報通知部３１、他親機情報受信部３２に置き換えられて動作することになる。
【００２９】
ここで一例として、図３に示すようにＡ家族グループに物件１（３０３号室）と物件２（４０４号室）が登録されている場合を考える。Ａ家族グループが物件１の３０３号室と物件２の４０４号室を所有しており、それぞれに家族同士（例えば物件１に親世代、物件２に子世代）が入居している時、来訪者が物件１の集合玄関機１から物件１（３０３号室）へ呼出しを行った場合、物件２（４０４号室）へも呼出しがあったことを通知する。この時物件１と物件２がＩＰ変換アダプタ４と連動していれば、音声信号をデジタル変換することで物件２（４０４号室）での通話も可能になる。即ち、来訪者から物件１に呼出しがあった場合、物件１の居住者が不在で物件２の居住者が在宅している時、来訪者は物件２の居住者と通話することができる。
【００３０】
またグループでセキュリティ設定を共有するモードになっている場合、物件１（３０３号室）で防犯や解錠の設定を変更すると、物件２（４０４号室）でもその設定が反映される。また物件１（３０３号室）の居室親機３にてグループ内端末の録画情報取得操作をすると、物件２（４０４号室）の録画データを再生できる。このような動作はＢ社グループにおける各物件おいても同様である。
【００３１】
次に、Ｃ管理グループに物件１（制御機）、物件２（制御機）、物件３（制御機）が登録されている場合を考える。物件１のある居室で火災が発生した場合、その火災を物件１（制御機）が感知し、物件２（制御機）及び物件３（制御機）へ通知する。物件２及び物件３は、物件２及び物件３にも危険が迫っていると判断した場合、物件２及び物件３の全居室に近隣物件火災情報を発報し、それぞれの集合玄関機を解錠し避難しやすいようにする。
【００３２】
一方、例えば、物件１と物件２が近接し、物件２と物件３は離間している場合、物件１から物件２及び物件３へ火災情報を通知した後、物件３には危険が迫っていないと判断された時には物件２のみ集合玄関機を解錠し避難しやすいようにすることもできる。
【符号の説明】
【００３３】
１・・・・・・・・・・集合玄関機
２・・・・・・・・・・制御機
３・・・・・・・・・・居室親機
４・・・・・・・・・・ＩＰ変換アダプタ
５・・・・・・・・・・管理サーバ
６・・・・・・・・・・汎用ネットワーク
２１・・・・・・・・・システム情報通知部
２２・・・・・・・・・他システム情報受信部
２３・・・・・・・・・制御機ＣＰＵ
３１・・・・・・・・・親機情報通知部
３２・・・・・・・・・他親機情報受信部
３３・・・・・・・・・親機ＣＰＵ
３４・・・・・・・・・アダプタ接続部
３５・・・・・・・・・呼出転送通知部
５１・・・・・・・・・管理テーブル
５２・・・・・・・・・グループ情報通知部
５３・・・・・・・・・管理サーバＣＰＵ
【図１】
0005558398.tif 000002
【図２】
0005558398.tif 000003
【図３】
0005558398.tif 000004
【図４】
0005558398.tif 000005